(57)【要約】【課題】体軸上に設定された複数の個所を撮影する時間が短い磁気共鳴撮影装置を実現する。【解決手段】制御手段により、撮影手段に複数の個所のスカウト撮影を行わせ（５０３）、スカウト画像に基づいて複数の個所における体の厚みを測定し（５０５）、複数の個所における体の厚みに応じて厚み方向のＦＯＶの大きさをそれぞれ決定し（５０７）、ＦＯＶの大きさに比例して位相エンコード数を決定し（５０９）、この位相エンコード数でそれぞれ複数の個所の撮影を行わせる（５１１）。【選択図】      図５
2004261487.tif 000002
【特許請求の範囲】
【請求項１】
対象の体軸上に設定された複数の個所を磁気共鳴を利用して順次に撮影する撮影手段および制御手段を有する磁気共鳴撮影装置であって、
前記制御手段は、
前記撮影手段に前記複数の個所のスカウト撮影を行わせ、
スカウト画像に基づいて前記複数の個所における体の厚みを測定し、
前記複数の個所における体の厚みに応じて厚み方向のＦＯＶの大きさをそれぞれ決定し、
前記ＦＯＶの大きさに比例して位相エンコード数を決定し、
前記決定した位相エンコード数により前記撮影手段に前記複数の個所の撮影をそれぞれ行わせる、
ことを特徴とする磁気共鳴撮影装置。
【請求項２】
前記撮影手段はアキシャル像を撮影する、
ことを特徴とする請求項１に記載の磁気共鳴撮影装置。
【請求項３】
前記制御手段は前記スカウト撮影によりサジタル像を撮影させる、
ことを特徴とする請求項２に記載の磁気共鳴撮影装置。
【請求項４】
前記サジタル像は体の幅に相当するスライス厚を有する、
ことを特徴とする請求項３に記載の磁気共鳴撮影装置。
【請求項５】
前記撮影手段は血流像を撮影する、
ことを特徴とする請求項１ないし請求項４のうちのいずれか１つに記載の磁気共鳴撮影装置。
【請求項６】
前記撮影手段はＴＯＦによって撮影する、
ことを特徴とする請求項５に記載の磁気共鳴撮影装置。
【請求項７】
前記ＴＯＦは２ＤＴＯＦである、
ことを特徴とする請求項６に記載の磁気共鳴撮影装置。
【請求項８】
前記ＴＯＦは３ＤＴＯＦである、
ことを特徴とする請求項６に記載の磁気共鳴撮影装置。
【発明の詳細な説明】
【０００１】
【発明の属する技術分野】
本発明は、磁気共鳴撮影装置に関し、とくに、対象の体軸上に設定された複数の個所を磁気共鳴を利用して順次に撮影する磁気共鳴撮影装置に関する。
【０００２】
【従来の技術】
磁気共鳴撮影装置では、血流像を撮影することが行われる。磁気共鳴を利用した血流像撮影はＭＲＡ（Ｍａｇｎｅｔｉｃ  Ｒｅｓｏｎａｎｃｅ  Ａｎｇｉｏｇｒａｐｈｙ）と呼ばれる（例えば、特許文献１参照）。
【０００３】
【特許文献１】
特許３３４３３９２号公報（第２頁、図６）
【０００４】
【発明が解決しようとする課題】
対象の体軸上に設定された複数の個所の血流像を順次に撮影する場合、どの個所も撮影視野すなわちＦＯＶ（ｆｉｅｌｄ  ｏｆ  ｖｉｅｗ）の大きさを同一にして行われるので、撮影に要する時間は撮影個所の数に比例して長くなる。
【０００５】
そこで、本発明の課題は、体軸上に設定された複数の個所を撮影する時間が短い磁気共鳴撮影装置を実現することである。
【０００６】
【課題を解決するための手段】
上記の課題を解決するための本発明は、対象の体軸上に設定された複数の個所を磁気共鳴を利用して順次に撮影する撮影手段および制御手段を有する磁気共鳴撮影装置であって、前記制御手段は、前記撮影手段に前記複数の個所のスカウト撮影を行わせ、スカウト画像に基づいて前記複数の個所における体の厚みを測定し、前記複数の個所における体の厚みに応じて厚み方向のＦＯＶの大きさをそれぞれ決定し、前記ＦＯＶの大きさに比例して位相エンコード数を決定し、前記決定した位相エンコード数により前記撮影手段に前記複数の個所の撮影をそれぞれ行わせる、ことを特徴とする磁気共鳴撮影装置である。
【０００７】
本発明では、制御手段により、撮影手段に前記複数の個所のスカウト撮影を行わせ、スカウト画像に基づいて複数の個所における体の厚みを測定し、複数の個所における体の厚みに応じて厚み方向のＦＯＶの大きさをそれぞれ決定し、ＦＯＶの大きさに比例して位相エンコード数を決定し、この位相エンコード数により撮影手段に複数の個所の撮影をそれぞれ行わせるので、体の厚みの薄い個所の撮影時間が短くなり全体の撮影時間が短くなる。
【０００８】
前記撮影手段はアキシャル像を撮影することが、体軸方向に見た断面を得る点で好ましい。前記制御手段は前記スカウト撮影によりサジタル像を撮影させることが、体の厚みの計測を容易にする点で好ましい。前記サジタル像は体の幅に相当するスライス厚を有することが、体の厚みを正しく計測する点で好ましい。
【０００９】
前記撮影手段は血流像を撮影することが、血行状態の診断を可能にする点で好ましい。前記撮影手段はＴＯＦによって撮影することが、血流信号のＳ／Ｎが良い点で好ましい。前記ＴＯＦは２ＤＴＯＦであることが、血流の断層像を得る点で好ましい。前記ＴＯＦは３ＤＴＯＦであることが、血流の投影像を得る点で好ましい。
【００１０】
【発明の実施の形態】
以下、図面を参照して本発明の実施の形態を詳細に説明する。なお、本発明は実施の形態に限定されるものではない。図１に磁気共鳴撮影装置のブロック（ｂｌｏｃｋ）図を示す。本装置の構成によって、本発明の装置に関する実施の形態の一例が示される。
【００１１】
同図に示すように、本装置はマグネットシステム（ｍａｇｎｅｔ  ｓｙｓｔｅｍ）１００を有する。マグネットシステム１００は主磁場コイル（ｃｏｉｌ）部１０２、勾配コイル部１０６およびＲＦコイル部１０８を有する。これら各コイル部は概ね円筒状の形状を有し、互いに同軸的に配置されている。マグネットシステム１００の概ね円柱状の内部空間（ボア：ｂｏｒｅ）に、撮影の対象１がクレードル（ｃｒａｄｌｅ）５００に搭載されて搬入される。
【００１２】
クレードル５００は、クレードル駆動部１２０によって駆動される。これによって、対象１をマグネットシステムの内部空間において体軸方向に移動させることできる。体軸方向の移動は、後述のように対象１の撮影領域を変更するときに行われる。
【００１３】
主磁場コイル部１０２はマグネットシステム１００の内部空間に静磁場を形成する。静磁場の方向は概ね対象１の体軸の方向に平行である。すなわちいわゆる水平磁場を形成する。主磁場コイル部１０２は例えば超伝導コイルを用いて構成される。なお、超伝導コイルに限らず常伝導コイル等を用いて構成してもよい。
【００１４】
勾配コイル部１０６は、互いに垂直な３軸すなわちスライス（ｓｌｉｃｅ）軸、位相軸および周波数軸の方向において、それぞれ静磁場強度に勾配を持たせるための３つの勾配磁場を生じる。
【００１５】
静磁場空間における互いに垂直な座標軸をｘ，ｙ，ｚとしたとき、いずれの軸もスライス軸とすることができる。その場合、残り２軸のうちの一方を位相軸とし、他方を周波数軸とする。また、スライス軸、位相軸および周波数軸は、相互間の垂直性を保ったままｘ，ｙ，ｚ軸に関して任意の傾きを持たせることも可能である。これはオブリーク（ｏｂｌｉｑｕｅ）とも呼ばれる。なお、本装置では対象１の体軸の方向をｚ軸方向とする。
【００１６】
スライス軸方向の勾配磁場をスライス勾配磁場ともいう。位相軸方向の勾配磁場を位相エンコード（ｅｎｃｏｄｅ）勾配磁場またはフェーズエンコード（ｐｈａｓｅ  ｅｎｃｏｄｅ）勾配磁場ともいう。周波数軸方向の勾配磁場をリードアウト（ｒｅａｄ  ｏｕｔ）勾配磁場ともいう。リードアウト勾配磁場は周波数エンコード勾配磁場と同義である。このような勾配磁場の発生を可能にするために、勾配コイル部１０６は図示しない３系統の勾配コイルを有する。以下、勾配磁場を単に勾配ともいう。
【００１７】
ＲＦコイル部１０８は静磁場空間に対象１の体内のスピン（ｓｐｉｎ）を励起するための高周波磁場を形成する。以下、高周波磁場を形成することをＲＦ励起信号の送信ともいう。また、ＲＦ励起信号をＲＦパルス（ｐｕｌｓｅ）ともいう。励起されたスピンが生じる電磁波すなわち磁気共鳴信号は、ＲＦコイル部１０８によって受信される。
【００１８】
磁気共鳴信号は、周波数ドメイン（ｄｏｍａｉｎ）すなわちフーリエ（Ｆｏｕｒｉｅｒ）空間の信号となる。位相軸方向および周波数軸方向の勾配により、磁気共鳴信号のエンコードを２軸で行うので、磁気共鳴信号は２次元フーリエ空間における信号として得られる。フェーズエンコード勾配およびリードアウト勾配は、２次元フーリエ空間における信号のサンプリング位置を決定する。以下、２次元フーリエ空間をｋスペース（ｋ−ｓｐａｃｅ）ともいう。
【００１９】
位相エンコードおよび周波数エンコードによってエコー信号ＭＲを読み出すことにより、ｋスペースのデータ（ｄａｔａ）がサンプリング（ｓａｍｐｌｉｎｇ）される。ｋスペース概念図を図２に示す。同図に示すように、ｋスペースの横軸ｋｘは周波数軸であり、縦軸ｋｙは位相軸である。
【００２０】
同図において、複数の横長の長方形がそれぞれ位相軸上のデータサンプリング位置を表す。長方形内に記入された数字は位相エンコード量を表す。位相エンコード量はπ／Ｎで正規化してある。Ｎは位相方向のサンプリング数である。位相方向のサンプリング数は位相エンコード数またはビュー数とも呼ばれる。Ｎは例えば６４〜２５６である。Ｎの値は、後述するように撮影個所の大きさに応じて変更される。
【００２１】
位相エンコード量は位相軸ｋｙの中心で０である。中心から両端にかけて位相エンコード量が次第に増加する。増加の極性は互いに逆である。サンプリング間隔すなわち位相エンコード量の階差はπ／Ｎである。
【００２２】
勾配コイル部１０６には勾配駆動部１３０が接続されている。勾配駆動部１３０は勾配コイル部１０６に駆動信号を与えて勾配磁場を発生させる。勾配駆動部１３０は、勾配コイル部１０６における３系統の勾配コイルに対応して、図示しない３系統の駆動回路を有する。
【００２３】
ＲＦコイル部１０８にはＲＦ駆動部１４０が接続されている。ＲＦ駆動部１４０はＲＦコイル部１０８に駆動信号を与えてＲＦパルスを送信し、対象１の体内のスピンを励起する。
【００２４】
ＲＦコイル部１０８にはデータ収集部１５０が接続されている。データ収集部１５０は、ＲＦコイル部１０８が受信した受信信号をディジタルデータ（ｄｉｇｉｔａｌ  ｄａｔａ）として収集する。
【００２５】
マグネットシステム１００、クレードル駆動部１２０、勾配駆動部１３０、ＲＦ駆動部１４０およびデータ収集部１５０からなる部分は、本発明における撮影手段の実施の形態の一例である。
【００２６】
クレードル駆動部１２０、勾配駆動部１３０、ＲＦ駆動部１４０およびデータ収集部１５０にはシーケンス（ｓｅｑｕｅｎｃｅ）制御部１６０が接続されている。シーケンス制御部１６０は、クレードル駆動部１２０ないしデータ収集部１５０をそれぞれ制御して撮影を遂行する。
【００２７】
シーケンス制御部１６０は、例えばコンピュータ（ｃｏｍｐｕｔｅｒ）等を用いて構成される。シーケンス制御部１６０は図示しないメモリ（ｍｅｍｏｒｙ）を有する。メモリはシーケンス制御部１６０用のプログラム（ｐｒｏｇｒａｍ）および各種のデータを記憶している。シーケンス制御部１６０の機能は、コンピュータがメモリに記憶されたプログラムを実行することにより実現される。
【００２８】
データ収集部１５０の出力側はデータ処理部１７０に接続されている。データ収集部１５０が収集したデータがデータ処理部１７０に入力される。データ処理部１７０は、データ収集部１５０が収集したデータをメモリに記憶する。メモリ内にはデータ空間が形成される。このデータ空間はｋスペースに対応する。データ処理部１７０は、ｋスペースのデータを２次元逆フ−リエ変換することにより画像を再構成する。
【００２９】
データ処理部１７０は、例えばコンピュータ等を用いて構成される。データ処理部１７０は図示しないメモリを有する。メモリはデータ処理部１７０用のプログラムおよび各種のデータを記憶している。
【００３０】
データ処理部１７０はシーケンス制御部１６０に接続されている。データ処理部１７０はシーケンス制御部１６０の上位にあってそれを統括する。本装置の機能は、データ処理部１７０がメモリに記憶されたプログラムを実行することによりを実現される。シーケンス制御部１６０およびデータ処理部１７０からなる部分は、本発明における制御手段の実施の形態の一例である。
【００３１】
データ処理部１７０には表示部１８０および操作部１９０が接続されている。表示部１８０は、グラフィックディスプレー（ｇｒａｐｈｉｃ  ｄｉｓｐｌａｙ）等で構成される。操作部１９０はポインティングデバイス（ｐｏｉｎｔｉｎｇｄｅｖｉｃｅ）を備えたキーボード（ｋｅｙｂｏａｒｄ）等で構成される。
【００３２】
表示部１８０は、データ処理部１７０から出力される再構成画像および各種の情報を表示する。操作部１９０は、使用者によって操作され、各種の指令や情報等をデータ処理部１７０に入力する。使用者は表示部１８０および操作部１９０を通じてインタラクティブ（ｉｎｔｅｒａｃｔｉｖｅ）に本装置を操作する。
【００３３】
図３に、他の方式の磁気共鳴撮影装置のブロック図を示す。同図に示す磁気共鳴撮影装置は、本発明の実施の形態の一例である。本装置の構成によって、本発明の装置に関する実施の形態の一例が示される。
【００３４】
本装置は、図１に示した装置とは方式を異にするマグネットシステム１００’を有する。マグネットシステム１００’以外は図１に示した装置と同様な構成になっており、同様な部分は同一の符号を付して説明を省略する。
【００３５】
マグネットシステム１００’は主磁場マグネット部１０２’、勾配コイル部１０６’およびＲＦコイル部１０８’を有する。これら主磁場マグネット部１０２’および各コイル部は、いずれも空間を挟んで互いに対向する１対のものからなる。また、いずれも概ね円盤状の形状を有し中心軸を共有して配置されている。マグネットシステム１００’の内部空間（ボア）に、対象１がクレードル５００に搭載されて図示しない搬送手段により搬入および搬出される。
【００３６】
主磁場マグネット部１０２’はマグネットシステム１００’の内部空間に静磁場を形成する。静磁場の方向は概ね対象１の体軸方向と直交する。すなわちいわゆる垂直磁場を形成する。主磁場マグネット部１０２’は例えば永久磁石等を用いて構成される。なお、永久磁石に限らず超伝導電磁石あるいは常伝導電磁石等を用いて構成してもよい。
【００３７】
勾配コイル部１０６’は、互いに垂直な３軸すなわちスライス軸、位相軸および周波数軸の方向において、それぞれ静磁場強度に勾配を持たせるための３つの勾配磁場を生じる。
【００３８】
静磁場空間における互いに垂直な座標軸をｘ，ｙ，ｚとしたとき、いずれの軸もスライス軸とすることができる。その場合、残り２軸のうちの一方を位相軸とし、他方を周波数軸とする。また、スライス軸、位相軸および周波数軸は、相互間の垂直性を保ったままｘ，ｙ，ｚ軸に関して任意の傾きを持たせること、すなわちオブリークが可能である。本装置でも対象１の体軸の方向をｚ軸方向とする。３軸方向の勾配磁場の発生を可能にするために、勾配コイル部１０６’は図示しない３系統の勾配コイルを有する。
【００３９】
ＲＦコイル部１０８’は静磁場空間に対象１の体内のスピンを励起するためのＲＦパルスを送信する  励起されたスピンが生じる電磁波すなわち磁気共鳴信号は、ＲＦコイル部１０８’によって受信される。ＲＦコイル部１０８’の受信信号がデータ収集部１５０に入力される。
【００４０】
マグネットシステム１００’、勾配駆動部１３０、ＲＦ駆動部１４０およびデータ収集部１５０からなる部分は、本発明における撮影手段の実施の形態の一例である。
【００４１】
図４に、磁気共鳴撮影に用いるパルスシーケンス（ｐｕｌｓｅ  ｓｅｑｕｅｎｃｅ）の一例を示す。このパルスシーケンスは、グラディエントエコー（ＧＲＥ：Ｇｒａｄｉｅｎｔ  Ｅｃｈｏ）法のパルスシーケンスである。
【００４２】
すなわち、（１）はＧＲＥ法におけるＲＦ励起用のα°パルスのシーケンスであり、（２）、（３）、（４）および（５）は、同じくそれぞれ、スライス勾配Ｇｓ、リードアウト勾配Ｇｒ、フェーズエンコード勾配ＧｐおよびグラディエントエコーＭＲのシーケンスである。なお、α°パルスは中心信号で代表する。パルスシーケンスは時間軸ｔに沿って左から右に進行する。
【００４３】
同図に示すように、α°パルスによりスピンのα°励起が行われる。αは９０以下である。このときスライス勾配Ｇｓが印加され所定のスライスについての選択励起が行われる。
【００４４】
α°励起後、フェーズエンコード勾配Ｇｐによりスピンのフェーズエンコードが行われる。次に、リードアウト勾配Ｇｒによりまずスピンをディフェーズし、次いでスピンをリフェーズして、グラディエントエコーＭＲを発生させる。グラディエントエコーＭＲはデータ収集部１５０によりビューデータとして収集される。
【００４５】
このようなパルスシーケンスが周期ＴＲで６４〜５１２回繰り返される。繰り返しのたびにフェーズエンコード勾配Ｇｐを変更し、毎回異なるフェーズエンコードを行う。これによって、６４〜５１２ビューのビューデータが得られる。ビュー数は、後述するように撮影個所の大きさに応じて変更される。
【００４６】
このようなデータ収集を、予めスピンを飽和させたスライスについて行うことにより、スライスに流入する血流のスピンのビューデータを得ることができる。すなわち、ＭＲＡにより血行状態を示す画像を得ることができる。
【００４７】
このような撮影方法はＴＯＦ（ｔｉｍｅ  ｏｆ  ｆｌｉｇｈｔ）と呼ばれる。ＴＯＦを用いることによりＳ／Ｎ（ｓｉｇｎａｌ−ｔｏ−ｎｏｉｓｅ  ｒａｔｉｏ）の良い血流像を得ることができる。ＴＯＦによる２次元面内の血流撮影は２ＤＴＯＦと呼ばれる。２ＤＴＯＦにより血流の断層像を得ることができる。なお、ＭＲＡはＴＯＦに限らずＰＣ（ｐｈａｓｅ  ｃｏｎｔｒａｓｔ）等適宜の技法で行ってよい。
【００４８】
このようなパルスシーケンスによって得られたビューデータが、データ処理部１７０のメモリに収集される。データ処理部１７０は、メモリに収集したビューデータに基づいて画像を再構成する。
【００４９】
図５に、本装置の動作のフロー（ｆｌｏｗ）図を示す。同図に示すように、ステップ（ｓｔｅｐ）５０１で、体軸に沿って複数の撮影個所を設定することが行われる。撮影個所の設定は、使用者により、表示部１８０および操作部１９０を通じて行われる。
【００５０】
これによって、例えば図６に示すような撮影断面１２が胸部から足首にかけて体軸（ｚ軸）上に複数個所設定される。以下、撮影断面をスライスともいう。各スライスはアキシャル（ａｘｉａｌ）像を撮影するためのスライスである。アキシャル像を撮影することにより、体軸方向に見た断面の像を得ることができる。
【００５１】
次に、ステップ５０３で、撮影個所についてスカウト（ｓｃｏｕｔ）像を撮影することが行われる。スカウト像の撮影は、シーケンス制御部１６０による制御の下で、マグネットシステム１００（１００’）、クレードル駆動部１２０、勾配駆動部１３０、ＲＦ駆動部１４０およびデータ収集部１５０によって行われる。
【００５２】
スカウト像としては、各撮影個所における対象１の体の厚みがわかる像が撮影される。そのようなスカウト画像として、例えば図７に示すように、対象１を横から見た画像が撮影される。このような画像は、例えばサジタル（ｓａｇｉｔｔａｌ）像を撮影することによって得られる。その場合、サジタル像のスライス厚を、対象１の体の幅に相当する厚さに設定することにより、体の厚みを示す画像を得ることができる。体の幅はｘ軸方向の対象の大きさである。体の厚みはｙ軸方向の対象１の大きさである。
【００５３】
次に、ステップ５０５で、スカウト画像に基づいて体の厚み（ｙ軸方向の大きさ）を測定することが行われる。厚み測定はデータ処理部１７０によって行われる。厚み測定はスライス位置ごとに行われる。スカウト画像は体を横から見た像となっているので、スカウト像のｙ軸方向の大きさから体の厚みを求めることができる。
【００５４】
次に、ステップ５０７で、撮影個所ごとにＦＯＶを決定することが行われる。ＦＯＶの決定はデータ処理部１７０によって行われる。ＦＯＶは各スライス位置における対象の大きさに合わせて決定される。体の厚みすなわちｙ軸方向の体の大きさがスライス位置によって異なるので、ＦＯＶのｙ軸方向の大きさが体の厚みに合わせて決定される。なお、ｘ軸方向のＦＯＶの大きさは全スライスを通じて同じとされる。
【００５５】
これによって、例えば胸部等体の厚みが最も厚い部分についてはｙ軸方向の大きさが最大のＦＯＶが決定され、足首等体の厚みが最も薄い部分についてはｙ軸方向の大きさが最小のＦＯＶが決定される。
【００５６】
次ぎに、ステップ５０９で、撮影個所ごとに位相エンコード数を決定することが行われる。位相エンコード数の決定はデータ処理部１７０によって行われる。位相エンコード数は各ＦＯＶのｙ軸方向の大きさに比例して決定される。
【００５７】
これによって、例えば胸部等ｙ軸方向のＦＯＶが最も大きい部分については最大の位相エンコード数（例えば５１２）が決定され、以下これを基準として他のスライスについてはｙ軸方向のＦＯＶ大きさに比例した位相エンコード数が決定される。このため、例えば位相エンコード数が最大となるスライスは、ｙ軸方向のＦＯＶが最大のものだけとなり、その他のスライスはＦＯＶの減少に比例して最大値よりも小さい位相エンコード数を持つ。
【００５８】
次に、ステップ５１１で、複数の撮影個所を順次に撮影することが行われる。各撮影個所は、ｙ軸方向のＦＯＶの大きさに比例して決定された位相エンコード数で撮影される。位相エンコード数はビュー数に相当するから、ｙ軸方向のＦＯＶが小さい撮影個所の撮影時間は、ｙ軸方向のＦＯＶが大きい個所よりも短縮される。このため、全ての撮影個所を同一のＦＯＶで撮影する場合に比べて、全体として撮影時間を短縮することができる。
【００５９】
複数の撮影個所は、上記のようにスライスとして設定する代わりに適宜の厚みを持つスラブ（ｓｌａｂ）として設定してもよい。そのようにした場合は、そのスラブについて３次元のＴＯＦを行う。これは３ＤＴＯＦと呼ばれる。３ＤＴＯＦにより血流の３次元像を得ることができる。なお、画像再構成は３次元逆フーリエ変換によって行われる。この３次元像から、ＭＩＰ（ｍａｘｉｍｕｍ  ｉｎｔｅｎｓｉｔｙ  ｐｒｏｊｅｃｔｉｏｎ）等により血流の投影像を得ることができる。
【００６０】
３ＤＴＯＦでは、予めスピンを飽和させたスラブについて、例えば図７に示すような３次元のグラディエントエコー法のパルスシーケンスによりデータ収集を行う。このパルスシーケンスでは、スライス軸方向においても位相エンコードが行われる。この位相エンコードはスラブの厚み方向における位相エンコードである。それ以外は図４に示したパルスシーケンスと同様である。
【００６１】
このようなパルシーケンスを用いる場合でも、体の厚み方向のエンコード数をその方向のＦＯＶの大きさに比例して決定することにより、全体としての撮影時間を短縮することができる。
【００６２】
【発明の効果】
以上詳細に説明したように、本発明によれば、体軸上に設定された複数の個所を撮影する時間が短い磁気共鳴撮影装置を実現することができる。
【図面の簡単な説明】
【図１】本発明の実施の形態の一例の装置のブロック図である。
【図２】ｋスペースの概念を示す図である。
【図３】本発明の実施の形態の一例の装置のブロック図である。
【図４】本発明の実施の形態の一例の装置が実行するパルスシーケンスの一例を示す図である。
【図５】本発明の実施の形態の一例の装置の動作のフロー図である。
【図６】複数の撮影個所の設定状態を示す図である。
【図７】複数の撮影個所の設定状態を示す図である。
【図８】本発明の実施の形態の一例の装置が実行するパルスシーケンスの一例を示す図である。
【符号の説明】
１  対象
１００，１００’  マグネットシステム
１０２  主磁場コイル部
１０２’  主磁場マグネット部
１０６，１０６’  勾配コイル部
１０８，１０８’  ＲＦコイル部
１２０  クレードル駆動部
１３０  勾配駆動部
１４０  ＲＦ駆動部
１６０  データ収集部
１６０  シーケンス制御部
１７０  データ処理部
１８０  表示部
１９０  操作部
５００  クレードル
１２  撮影個所
【図１】
2004261487.tif 000003
【図２】
2004261487.tif 000004
【図３】
2004261487.tif 000005
【図４】
2004261487.tif 000006
【図５】
2004261487.tif 000007
【図６】
2004261487.tif 000008
【図７】
2004261487.tif 000009
【図８】
2004261487.tif 000010